(57)【要約】      （修正有）【課題】診療装置の安全性を確保しながらユーザの利便性を向上させることができる、診療システム、診療ユニット、および表示ユニットを提供する。【解決手段】診療システム１０００は、診療装置１０と、表示装置６と、表示装置６に画像を表示させる表示制御部１１５と、外部装置２００とを備える。表示制御部１１５は、診療装置１０からの信号に基づく診療画像と、外部装置２００からの信号に基づく外部画像とを合成した画像を表示装置６に表示させる。表示制御部１１５は、診療画像に対するユーザの押圧操作があった場合、当該操作に対応する信号を外部装置２００を介することなく診療装置１０に送信し、外部第画像に対するユーザの押圧操作があった場合、当該操作に対応する信号を外部装置２００に送信する。【選択図】図２
2018140177.tif 000002
【特許請求の範囲】
【請求項１】
画像を表示する表示装置と、
前記表示装置に接続されるとともに当該表示装置に画像を表示させる表示制御装置と、
診療機器を含むとともに前記表示制御装置に接続される診療装置と、
前記診療装置とは別に前記表示制御装置に接続される外部装置とを備え、
前記表示制御装置は、
前記診療装置からの信号に基づく第１画像と、前記外部装置からの信号に基づく第２画像とを合わせて前記表示装置に表示させる表示制御部と、
前記表示制御部と前記診療装置との間の信号経路、および前記表示制御部と前記外部装置との間の信号経路の少なくともいずれか一方において、信号の送受信を可能にする一方で当該信号経路を電気的に絶縁する絶縁回路とを含む、診療システム。
【請求項２】
前記第１画像は、前記診療機器の操作のためのアイコンまたは設定のためのアイコンを少なくとも含み、
前記第２画像は、前記外部装置によって撮影された画像または患者のカルテの画像を少なくとも含む、請求項１に記載の診療システム。
【請求項３】
前記診療装置からの信号は、当該診療装置に関する情報を含み、
前記表示制御部は、前記診療装置に関する情報に基づいて前記第１画像を生成する、請求項１または請求項２に記載の診療システム。
【請求項４】
前記表示制御部は、前記第１画像と前記第２画像とを重ねて前記表示装置に表示させる場合、前記第２画像よりも前記第１画像を優先的にユーザが視認可能となるように前記表示装置に画像を表示させる、請求項１〜請求項３のいずれか１項に記載の診療システム。
【請求項５】
前記第１画像には、前記診療装置を停止させるための停止画像が含まれ、
前記表示制御部は、前記停止画像に対するユーザの操作に基づき、停止信号を前記診療装置に送信する、請求項１〜請求項４のいずれか１項に記載の診療システム。
【請求項６】
画像を表示する表示装置と、
前記表示装置に接続されるとともに当該表示装置に画像を表示させる表示制御装置と、
診療機器を含むとともに前記表示制御装置に接続される診療装置とを備え、
前記表示制御装置は、前記診療装置とは別に外部装置に接続されており、
前記表示制御装置は、
前記診療装置からの信号に基づく第１画像と、前記外部装置からの信号に基づく第２画像とを合わせて前記表示装置に表示させる表示制御部と、
前記表示制御部と前記診療装置との間の信号経路、および前記表示制御部と前記外部装置との間の信号経路の少なくともいずれか一方において、信号の送受信を可能にする一方で当該信号経路を電気的に絶縁する絶縁回路とを含む、診療ユニット。
【請求項７】
画像を表示する表示装置と、
前記表示装置に接続されるとともに当該表示装置に画像を表示させる表示制御装置とを備え、
前記表示制御装置は、診療機器を含む診療装置に接続されるとともに、当該診療装置とは別に外部装置に接続されており、
前記表示制御装置は、
前記診療装置からの信号に基づく第１画像と、前記外部装置からの信号に基づく第２画像とを合わせて前記表示装置に表示させる表示制御部と、
前記表示制御部と前記診療装置との間の信号経路、および前記表示制御部と前記外部装置との間の信号経路の少なくともいずれか一方において、信号の送受信を可能にする一方で当該信号経路を電気的に絶縁する絶縁回路とを含む、表示ユニット。
【請求項８】
診療機器を含む診療装置および外部装置のそれぞれと、表示装置とを接続させるとともに、当該表示装置に画像を表示させる表示制御装置であって、
前記診療装置からの信号に基づく第１画像と、前記外部装置からの信号に基づく第２画像とを合わせて前記表示装置に表示させる表示制御部と、
前記表示制御部と前記診療装置との間の信号経路、および前記表示制御部と前記外部装置との間の信号経路の少なくともいずれか一方において、信号の送受信を可能にする一方で当該信号経路を電気的に絶縁する絶縁回路とを備える、表示制御装置。
【発明の詳細な説明】
【技術分野】
【０００１】
本発明は、診療システム、診療ユニット、表示ユニット、および表示制御装置に関する。
【背景技術】
【０００２】
従来から、歯科や医科などの医療分野において診療を行うための診療装置を備えた診療システムが知られている。たとえば、特許文献１に開示されたシステムにおいては、歯科診療を行うための歯科機器が、タッチ・パッドを含むコントロールパネルと、コンピュータとに接続されている。このシステムにおいては、コントロールパネルが操作されると、コンピュータに制御信号が送信される。これにより、ユーザは、コントロールパネルを操作することで、コンピュータのディスプレイにおいてカーソル移動をすることができる。
【先行技術文献】
【特許文献】
【０００３】
【特許文献１】特許第５４１００１９号公報
【発明の概要】
【発明が解決しようとする課題】
【０００４】
特許文献１に開示されたシステムでは、コントロールパネルに対する操作によって歯科機器のみならずコンピュータにも制御信号を送信することができるため、ユーザの利便性が向上する。しかしながら、このシステムでは、歯科機器がコンピュータと直接的に接続されているため、コンピュータに異常が発生した場合に歯科機器にまで何らかの影響を与えてしまう虞がある。
【０００５】
本発明は、上記の課題を解決するためになされたものであり、診療装置の安全性を確保しながらユーザの利便性を向上させることができる、診療システム、診療ユニット、表示ユニット、および表示制御装置を提供することを目的とする。
【課題を解決するための手段】
【０００６】
本発明に係る診療システムは、画像を表示する表示装置と、表示装置に接続されるとともに当該表示装置に画像を表示させる表示制御装置と、診療機器を含むとともに表示制御装置に接続される診療装置と、診療装置とは別に表示制御装置に接続される外部装置とを備え、表示制御装置は、診療装置からの信号に基づく第１画像と、外部装置からの信号に基づく第２画像とを合わせて表示装置に表示させる表示制御部と、表示制御部と診療装置との間の信号経路、および表示制御部と外部装置との間の信号経路の少なくともいずれか一方において、信号の送受信を可能にする一方で当該信号経路を電気的に絶縁する絶縁回路とを含む。
【０００７】
本発明に係る診療ユニットは、画像を表示する表示装置と、表示装置に接続されるとともに当該表示装置に画像を表示させる表示制御装置と、診療機器を含むとともに表示制御装置に接続される診療装置とを備え、表示制御装置は、診療装置とは別に外部装置に接続されており、表示制御装置は、診療装置からの信号に基づく第１画像と、外部装置からの信号に基づく第２画像とを合わせて表示装置に表示させる表示制御部と、表示制御部と診療装置との間の信号経路、および表示制御部と外部装置との間の信号経路の少なくともいずれか一方において、信号の送受信を可能にする一方で当該信号経路を電気的に絶縁する絶縁回路とを含む。
【０００８】
本発明に係る表示ユニットは、画像を表示する表示装置と、表示装置に接続されるとともに当該表示装置に画像を表示させる表示制御装置とを備え、表示制御装置は、診療機器を含む診療装置に接続されるとともに、当該診療装置とは別に外部装置に接続されており、表示制御装置は、診療装置からの信号に基づく第１画像と、外部装置からの信号に基づく第２画像とを合わせて表示装置に表示させる表示制御部と、表示制御部と診療装置との間の信号経路、および表示制御部と外部装置との間の信号経路の少なくともいずれか一方において、信号の送受信を可能にする一方で当該信号経路を電気的に絶縁する絶縁回路とを含む。
【０００９】
本発明に係る表示制御装置は、診療機器を含む診療装置および外部装置のそれぞれと、表示装置とを接続させるとともに、当該表示装置に画像を表示させる表示制御装置であって、診療装置からの信号に基づく第１画像と、外部装置からの信号に基づく第２画像とを合わせて表示装置に表示させる表示制御部と、表示制御部と診療装置との間の信号経路、および表示制御部と外部装置との間の信号経路の少なくともいずれか一方において、信号の送受信を可能にする一方で当該信号経路を電気的に絶縁する絶縁回路とを備える。
【発明の効果】
【００１０】
本発明に係る診療システムによれば、診療装置の安全性を確保しながらユーザの利便性を向上させることができる。
【図面の簡単な説明】
【００１１】
【図１】診療システムを示す概略図である。
【図２】診療システムの内部構成を概略的に示すブロック図である。
【図３】診療装置の内部構成を概略的に示すブロック図である。
【図４】外部装置の内部構成を概略的に示すブロック図である。
【図５】表示制御基板の内部構成を概略的に示すブロック図である。
【図６】表示装置のディスプレイにおける表示の一例を説明するための図である。
【図７】診療画像が更新された場合の表示装置のディスプレイにおける表示の一例を説明するための図である。
【図８】外部画像が更新された場合の表示装置のディスプレイにおける表示の一例を説明するための図である。
【図９】診療画像と外部画像とにおける表示の優先度を説明するための図である。
【図１０】変形例に係る診療システムの内部構成を概略的に示すブロック図である。
【発明を実施するための形態】
【００１２】
本実施の形態について、図面を参照しながら説明する。本実施の形態においては、診療装置の１つの例示的形態として、歯科診療に用いることが可能な診療装置について説明する。なお、本実施の形態に係る診療装置は、歯科に限らず、眼科、耳鼻咽喉科、放射線科、および獣医科など、あらゆる医科の診療にも適用することが可能である。また、診療には、診断および治療が含まれる。
【００１３】
[診療システムの構成]
図１は、診療システム１０００を示す概略図である。図２は、診療システム１０００の内部構成を概略的に示すブロック図である。図１および図２に示すように、診療システム１０００は、診療装置１０と、外部装置２００と、表示装置６と、表示制御基板１００とを備える。診療装置１０、外部装置２００、および表示装置６は、それぞれ表示制御基板１００と接続されている。
【００１４】
具体的には、表示制御基板１００の表示制御部１１５は、表示装置６のタッチパネル６１０およびディスプレイ６１５のそれぞれと通信可能に接続されている。表示制御部１１５は、図示しない基板上に実装されたＣＰＵ（Central Processing Unit）、ＲＯＭ（Read Only Memory）、およびＲＡＭ（Random Access Memory）などによって構成される。
【００１５】
ディスプレイ６１５は、表示制御部１１５から画像信号を受信する。画像信号には、画像データが含まれている。ディスプレイ６１５は、その画像データに基づき様々な画像を表示する。
【００１６】
たとえば、ディスプレイ６１５は、外部装置２００によって管理および処理される画像に対応する画像を表示する。言い換えると、ディスプレイ６１５は、外部装置２００の外部ディスプレイ２０８に表示された画像に対応する画像（以下、外部画像ともいう）を表示する。外部画像とは、外部ディスプレイ２０８に表示された画像と同じ画像、あるいは外部ディスプレイ２０８に表示された画像に関連する画像（たとえば、外部ディスプレイ２０８に表示された画像よりも詳細な画像、外部ディスプレイ２０８に表示された画像と似たような画像など）である。
【００１７】
また、ディスプレイ６１５は、診療装置１０によって管理および処理される画像に対応する画像を表示する。言い換えると、ディスプレイ６１５は、診療装置１０の操作ディスプレイ８０に表示された画像に対応する画像（以下、診療画像ともいう）を表示する。診療画像とは、操作ディスプレイ８０に表示された画像と同じ画像、あるいは操作ディスプレイ８０に表示された画像に関連する画像（たとえば、操作ディスプレイ８０に表示された画像よりも詳細な画像、操作ディスプレイ８０に表示された画像と似たような画像など）である。
【００１８】
タッチパネル６１０は、ディスプレイ６１５の上面に貼り付けられており、ディスプレイ６１５に表示された画像に対するユーザの押圧操作を受け付ける。タッチパネル６１０は、「受付部」の一実施形態に対応する。タッチパネル６１０は、ユーザの押圧操作を受け付けると、当該押圧操作に対応する操作信号を表示制御部１１５に送信する。具体的には、タッチパネル６１０は、診療画像に対するユーザの押圧操作を受け付けると、操作信号１を表示制御部１１５に送信する。タッチパネル６１０は、外部画像に対するユーザの押圧操作を受け付けると、操作信号２を表示制御部１１５に送信する。
【００１９】
なお、タッチパネル６１０は、指またはペンなどによって押圧されたときに生じる電圧変化を測定することで押圧位置を検出する公知の抵抗膜方式を採用したものであってよい。また、タッチパネル６１０は、指などによって押圧されたときに生じる静電容量の変化を測定することで押圧位置を検出する公知の静電容量方式を採用したものであってもよい。タッチパネル６１０は、その他、公知の方式で押圧位置を検出するものであってもよい。さらに、ディスプレイ６１５は、タッチパネル６１０の機能を内蔵したタッチパネル内蔵型（所謂、インセル型）のディスプレイであってもよい。
【００２０】
また、タッチパネル６１０は、指またはペンなどによって押圧する物に限らず、光センサなどによって、タッチパネル６１０に近づけられた手を検知する非接触方式を採用したものであってもよい。このような非接触方式のタッチパネル６１０を採用すれば、タッチパネル６１０およびディスプレイ６１５にユーザが直接触れることがないため、衛生的である。
【００２１】
表示制御部１１５は、診療装置１０の診療制御部１５と通信可能に接続されている。表示制御部１１５は、表示装置６から操作信号１を受信すると、当該操作信号１に基づく指令信号１を診療制御部１５に送信する。つまり、表示装置６に表示された診療画像がユーザによって押圧操作されることにより、外部装置２００を介することなく表示装置６から診療装置１０の診療制御部１５に信号（操作信号１，指令信号１）が送信される。
【００２２】
表示制御部１１５は、診療制御部１５から画像生成信号１を受信する。画像生成信号１には、診療装置１０に関する情報が含まれる。たとえば、画像生成信号１には、診療装置１０によって管理および処理される画像に関する情報、および診療装置１０の状態（駆動状態、設定状態など）の情報が含まれる。但し、画像生成信号１には、データ通信量が大きい画像データそのものは含まれず、診療画像を生成するために必要な情報のみが含まれる。
【００２３】
表示制御部１１５は、診療制御部１５から受信した画像生成信号１に基づき、診療画像を生成する。表示制御部１１５は、生成した診療画像のデータを含んだ画像信号を表示装置６に送信する。表示装置６は、表示制御部１１５から受信した画像信号に含まれる診療画像のデータに基づき、診療画像をディスプレイ６１５に表示する。
【００２４】
このように、表示制御部１１５は、診療装置１０の診療制御部１５から診療画像のデータそのものを受け取るのではなく、診療装置１０によって管理および処理される画像に関する情報を含んだ画像生成信号１に基づいて診療画像を生成する。このため、診療制御部１５と表示制御部１１５との間の通信速度の低下が抑えられる。
【００２５】
表示制御部１１５は、外部装置２００の外部制御部２１５と通信可能に接続されている。表示制御部１１５は、表示装置６から操作信号２を受信すると、当該操作信号２に基づく指令信号２を外部制御部２１５に送信する。つまり、表示装置６に表示された外部画像がユーザによって押圧操作されることにより、診療装置１０を介することなく表示装置６から外部装置２００の外部制御部２１５に信号（たとえば、操作信号２，指令信号２）が送信される。
【００２６】
表示制御部１１５は、外部制御部２１５から画像生成信号２を受信する。画像生成信号２には、外部装置２００に関する情報が含まれる。たとえば、画像生成信号２には、外部装置２００によって管理および処理される画像に関する情報が含まれる。但し、画像生成信号２には、データ通信量が大きい画像データそのものは含まれず、外部画像を生成するために必要な情報のみが含まれる。
【００２７】
表示制御部１１５は、外部制御部２１５から受信した画像生成信号２に基づき、外部画像を生成する。表示制御部１１５は、生成した外部画像のデータを含んだ画像信号を表示装置６に送信する。表示装置６は、表示制御部１１５から受信した画像信号に含まれる外部画像のデータに基づき、外部画像をディスプレイ６１５に表示する。
【００２８】
このように、表示制御部１１５は、外部装置２００の外部制御部２１５から外部画像のデータそのものを受け取るのではなく、外部装置２００によって管理および処理される画像に関する情報を含んだ画像生成信号２に基づいて外部画像を生成する。このため、外部制御部２１５と表示制御部１１５との間の通信速度の低下が抑えられる。
【００２９】
このように、診療装置１０と外部装置２００との間には表示制御基板１００が位置しており、診療装置１０と外部装置２００との間で直接的に信号の送受信が行われることはない。これにより、外部装置２００に異常が発生した場合でも、診療装置１０に直接的には影響がなく、診療装置１０の安全性を確保することができる。たとえば、外部装置２００において漏電が生じたり、サージ電流が生じたりした場合であっても、診療装置１０の各機能には影響がない。また、ディスプレイ６１５においては、診療画像を異常なく表示し続けることができる。
【００３０】
[診療装置の構成]
図３は、診療装置１０の内部構成を概略的に示すブロック図である。図１および図３に示すように、診療装置１０は、診療椅子１と、フートコントローラ５と、トレーテーブル３と、診療制御部１５と、操作パネル８と、ベースンユニット２と、照明装置７と、インスツルメントホルダ３０とを備える。
【００３１】
診療椅子１は、患者の頭を支えるヘッドレスト１ａと、患者の背中を支える背もたれ１ｂと、患者の尾尻を支える座面シート１ｃと、患者の足を支える足置き台１ｄとを備える。ヘッドレスト１ａ、背もたれ１ｂ、座面シート１ｃ、および足置き台１ｄのそれぞれは、シート駆動部１１の制御に基づき駆動する。
【００３２】
たとえば、座面シート１ｃは、シート駆動部１１の制御に基づき上昇または下降する。ヘッドレスト１ａ、背もたれ１ｂ、および足置き台１ｄのそれぞれは、シート駆動部１１の制御に基づき座面シート１ｃに対して垂直方向または水平方向に移動する。ヘッドレスト１ａ、背もたれ１ｂ、および足置き台１ｄが座面シート１ｃに対して垂直方向に移動すると、診療椅子１に座った患者が座位姿勢になる。ヘッドレスト１ａ、背もたれ１ｂ、および足置き台１ｄが座面シート１ｃに対して水平方向に移動すると、診療椅子１に座った患者が仰向け姿勢になる。
【００３３】
フートコントローラ５は、診療椅子１を駆動させるための操作を受け付ける。また、フートコントローラ５は、診療器具４を駆動させるための操作を受け付ける。ユーザは、フートコントローラ５を足踏操作することができる。
【００３４】
フートコントローラ５は、診療椅子１を駆動させるための操作を受け付けると、シート駆動部１１に制御信号を出力する。シート駆動部１１は、制御信号に基づき診療椅子１を駆動する。フートコントローラ５は、診療器具４を駆動させるための操作を受け付けると、診療制御部１５に制御信号を出力する。診療制御部１５は、制御信号に基づき診療器具４を駆動する。
【００３５】
トレーテーブル３は、診療時の物置台として用いられる。トレーテーブル３は、診療椅子１または床から延びるアーム（図示は省略する）に接続されている。このため、ユーザは、トレーテーブル３を診療椅子１に対して手動で回動、水平移動、および垂直移動させることが可能である。
【００３６】
診療制御部１５は、トレーテーブル３の底面に設けられている。診療制御部１５は、複数の診療器具４、インスツルメントホルダ３０、操作パネル８、およびベースンユニット２のそれぞれと接続されている。
【００３７】
診療器具４は、たとえば、エアータ−ビンハンドピース（ハイスピードハンドピース）、マイクロモータハンドピース（ロースピードハンドピース）、スケーラ、スリーウェイシリンジ、およびバキュームシリンジなどの歯科診療用のインスツルメントである。なお、診療器具４は、これらに限らず、口腔内カメラ、光重合用照射器、根管長測定器、および根管拡大器などであってもよいし、鏡や注射器など、駆動しない器具であってもよい。
【００３８】
診療装置１０においては、診療器具４ａ〜４ｅの５種類が用いられる。たとえば、診療器具４ａおよび診療器具４ｂは、エアータ−ビンハンドピースである。診療器具４ｃおよび診療器具４ｄは、ロースピードハンドピースである。診療器具４ｅは、スケーラである。各診療器具４は、インスツルメントホルダ３０によって保持される。診療器具４がインスツルメントホルダ３０から取り出されると、インスツルメントホルダ３０による保持が解除され、診療器具４が選択された状態になる。
【００３９】
診療制御部１５は、フートコントローラ５に対するユーザの足踏操作に基づき各診療器具４を駆動する。たとえば、ユーザが、フートコントローラ５におけるエアータ−ビンハンドピースを駆動するためのスイッチを足踏操作すると、診療器具駆動部１４は、エアータ−ビンハンドピースのヘッド部に保持される切削工具を回転させる。
【００４０】
インスツルメントホルダ３０は、各診療器具４を保持する保持部材である。診療制御部１５は、診療器具４に対するインスツルメントホルダ３０による保持が解除されたことを特定可能である。
【００４１】
操作パネル８は、各種の機能を設定するための後述する複数のアイコン８ａ〜８ｊ（図６参照）を点灯させる。ユーザは、操作パネル８において点灯しているアイコンを押圧操作することにより、押圧操作したアイコンに対応する機能を診療装置１０に発揮させることができる。
【００４２】
操作パネル８は、操作ディスプレイ８０を備える。操作ディスプレイ８０は、診療制御部１５の制御に基づき様々な画像を表示する。たとえば、操作ディスプレイ８０は、診療椅子１、各診療器具４、ベースンユニット２、および照明装置７などの診療機器を操作するための画像、あるいはこれら診療機器を設定するための画像などを表示する。これらの画像の中には、ユーザによって押圧操作が可能な画像も含まれる。
【００４３】
操作ディスプレイ８０の上面には公知のタッチパネル（図示は省略する）が貼り付けられている。ユーザは、操作ディスプレイ８０に表示された画像をタッチパネル越しに押圧操作することで、診療機器の駆動および設定が可能である。
【００４４】
診療制御部１５は、表示制御基板１００からの操作信号１に基づき、操作ディスプレイ８０に画像を表示したり、予め表示された画像を更新したりする。診療制御部１５は、図示しない基板上に実装されたＣＰＵ、ＲＯＭ、およびＲＡＭなどによって構成される。
【００４５】
ベースンユニット２は、図１に示すように、診療椅子１の側部に備え付けられている。ベースンユニット２は、排水口が形成された鉢２ａと、コップが載置されるコップ台２ｂと、コップに給水するための給水栓２ｃとを備える。患者は、給水栓２ｃによってコップに給水された水を用いてうがいをすることができる。図３に示すように、ベースンユニット２は、ベースン制御部１６を備える。ベースン制御部１６は、診療装置１０で用いられる水の流れを制御する。さらに、ベースンユニット２は、照明制御部１７を備える。照明制御部１７は、照明装置７の照明および消灯を制御する。
【００４６】
[外部装置の構成]
図４は、外部装置２００の内部構成を概略的に示すブロック図である。図４に示すように、外部装置２００は、外部制御部２１５と、操作部２０５と、外部ディスプレイ２０８と、記憶部２０７とを備える。操作部２０５、外部ディスプレイ２０８、および記憶部２０７は、それぞれ外部制御部２１５と接続されている。
【００４７】
外部ディスプレイ２０８は、外部制御部２１５の制御に基づき様々な画像を表示する。たとえば、外部ディスプレイ２０８は、患者のカルテを示す画像、歯の形状を示す画像、歯の断面を示す画像、根管内での切削工具の先端の位置を示す画像、口腔内カメラによって撮影された口腔内を示す画像など、診療に必要な画像を表示する。
【００４８】
操作部２０５は、公知のマウスあるいはキーボードであり、ユーザの操作を受け付ける。記憶部２０７は、外部ディスプレイ２０８に画像を表示する際に用いられる画像データ、および画像を表示するためのプログラムを含む各種のプログラムなどを記憶する。
【００４９】
外部制御部２１５は、操作部２０５からの信号に基づき、外部ディスプレイ２０８に画像を表示したり、その他の処理を実行したりする。外部制御部２１５は、図示しない基板上に実装されたＣＰＵなどによって構成される。記憶部２０７は、図示しない基板上に実装されたＲＯＭおよびＲＡＭなどによって構成される。
【００５０】
[表示制御基板の構成]
図５は、表示制御基板１００の内部構成を概略的に示すブロック図である。図５に示すように、表示制御基板１００が備える表示制御部１１５は、診療装置１０、外部装置２００、および表示装置６のそれぞれと接続されている。
【００５１】
ここで、診療装置１０は、ユーザである術者が患者を治療するときに必須である。このため、表示制御基板１００あるいは外部装置２００において漏電が生じたり、サージ電流が生じたりした場合、診療装置１０がその異常に影響を受けてしまい、術者による治療が滞ってしまう。そこで、診療システム１０００においては、表示制御部１１５と診療装置１０との間の信号経路に絶縁部１０１が設けられ、さらに、表示制御部１１５と外部装置２００との間の信号経路に絶縁部１０２が設けられている。
【００５２】
絶縁部１０１および絶縁部１０２は、公知の絶縁回路で実現することができる。たとえば、絶縁部１０１および絶縁部１０２は、電気信号を光信号に変換してデータ通信することで電気的に絶縁するものであってもよい。また、絶縁部１０１および絶縁部１０２は、電流の変化によって生じるコイルの相互誘導を利用してデータ通信することで電気的に絶縁するものであってもよい。
【００５３】
このように、絶縁部１０１によって表示制御部１１５と診療装置１０との間が電気的に絶縁されるため、両者間において電気的安全性が確保される。したがって、診療装置１０は、表示制御基板１００および外部装置２００における異常に影響されることがない。また、絶縁部１０２によって表示制御部１１５と外部装置２００との間が電気的に絶縁されるため、両者間において電気的安全性が確保される。したがって、診療装置１０および表示制御基板１００は、外部装置２００における異常に影響されることがない。
【００５４】
[表示の一例]
図６は、表示装置６のディスプレイ６１５における表示の一例を説明するための図である。
【００５５】
図６に示すように、診療装置１０の操作パネル８には、複数のアイコン８ａ〜８ｊが設けられている。これらのアイコン８ａ〜８ｊは、それぞれ診療装置１０が有する各種機能に対応している。たとえば、アイコン８ａ〜８ｄは、診療椅子１を１回の押圧操作で所定位置に移動するチェアオート機能に対応している。アイコン８ｅ〜８ｈは、診療椅子１の位置および姿勢の少なくともいずれかを連続的に変更するチェアマニュアル機能に対応している。アイコン８ｉは、診療椅子１の移動速度を設定する機能に対応している。アイコン８ｊは、照明装置７による照明と消灯とを切り替える機能に対応している。なお、操作パネル８には、これら以外の機能に対応するアイコンが設けられていてもよい。
【００５６】
診療装置１０の操作ディスプレイ８０は、各種の診療機器を操作するための画像、あるいは各種の診療機器の設定を行うための画像などを表示する。たとえば、図６に示すように、操作ディスプレイ８０は、診療器具４ａ〜４ｅのそれぞれを選択および設定するための操作画像８０ａ〜８０ｅを表示する。操作画像８０ａは、診療器具４ａ（エアータ−ビンハンドピース）を選択するための画像である。操作画像８０ｂは、診療器具４ｂ（エアータ−ビンハンドピース）を選択するための画像である。操作画像８０ｃは、診療器具４ｃ（マイクロモータハンドピース）を選択するための画像である。操作画像８０ｄは、診療器具４ｄ（スケーラ）を選択するための画像である。操作画像８０ｅは、診療器具４ｅ（スリーウェイシリンジ）を選択するための画像である。
【００５７】
ユーザは、各操作画像８０ａ〜８０ｅを押圧操作することで、所望の診療器具の駆動および設定が可能である。なお、ユーザは、各診療器具４ａ〜４ｅをインスツルメントホルダ３０から取り出すことによっても、操作画像８０ａ〜８０ｅを押圧操作した場合と同じように所望の診療器具の駆動および設定が可能である。
【００５８】
外部装置２００の外部ディスプレイ２０８は、診療に必要な画像を表示する。たとえば、図６に示すように、外部ディスプレイ２０８は、歯の形状を示す画像を表示する。さらに、外部ディスプレイ２０８は、操作部２０５によって選択可能な選択画像２０８ａを表示する。図６に示す例では、ユーザは、操作部２０５によって選択画像２０８ａを選択することで次のページに画面を切り替えることができる。
【００５９】
表示装置６のディスプレイ６１５は、診療装置１０の操作ディスプレイ８０に表示された画像に対応する診療画像６０１と、外部装置２００の外部ディスプレイ２０８に表示された画像に対応する外部画像６０２とを合成した画像を表示する。
【００６０】
たとえば、図６に示すように、ディスプレイ６１５は、診療画像６０１として、診療器具４ａ〜４ｅのそれぞれを選択および設定するための操作画像６０１ａ〜６０１ｅを表示する。操作画像６０１ａは、操作画像８０ａと同じ画像であり、診療器具４ａ（エアータ−ビンハンドピース）を選択するための画像である。操作画像６０１ｂは、操作画像８０ｂと同じ画像であり、診療器具４ｂ（エアータ−ビンハンドピース）を選択するための画像である。操作画像６０１ｃは、操作画像８０ｃと同じ画像であり、診療器具４ｃ（マイクロモータハンドピース）を選択するための画像である。操作画像６０１ｄは、操作画像８０ｄと同じ画像であり、診療器具４ｄ（スケーラ）を選択するための画像である。操作画像６０１ｅは、操作画像８０ｅと同じ画像であり、診療器具４ｅ（スリーウェイシリンジ）を選択するための画像である。ユーザは、各操作画像６０１ａ〜６０１ｅをタッチパネル６１０越しに押圧操作することで、所望の診療機器の駆動および設定が可能である。
【００６１】
また、ディスプレイ６１５は、診療画像６０１として、緊急時に診療装置１０の駆動を停止するための緊急停止画像６０１ｓを表示する。緊急停止画像６０１ｓは、ディスプレイ６１５に常に表示されている。ユーザは、緊急停止画像６０１ｓをタッチパネル６１０越しに押圧操作することで、診療装置１０の駆動を強制的に停止させることができる。なお、診療装置１０の操作ディスプレイ８０においても、緊急停止画像６０１ｓのような、緊急時に診療装置１０の駆動を停止するための画像が表示されてもよい。
【００６２】
また、ディスプレイ６１５は、外部画像６０２として、歯の形状を示す画像を表示する。さらに、ディスプレイ６１５は、外部画像６０２として、ユーザによって押圧操作が可能な選択画像６０２ａを表示する。図６に示す例では、ユーザは、選択画像６０２ａを押圧操作することで次のページに画面を切り替えることができる。
【００６３】
[診療画像の更新の一例]
図７は、診療画像が更新された場合の表示装置６のディスプレイ６１５における表示の一例を説明するための図である。
【００６４】
ユーザが、操作ディスプレイ８０に表示された画像を押圧操作したり、あるいは診療器具４をインスツルメントホルダ３０から取り出したりすると、操作ディスプレイ８０に表示された画像が更新されるとともに、ディスプレイ６１５に表示された診療画像６０１も更新される。
【００６５】
たとえば、ユーザが、図６に示す状態から、操作ディスプレイ８０に表示された画像を押圧操作したり、あるいは診療器具４をインスツルメントホルダ３０から取り出したりした場合、操作ディスプレイ８０は、図７に示す状態へと、画像を更新する。
【００６６】
具体的には、図７に示すように、操作ディスプレイ８０は、操作画像８０ｆ〜８０ｈを表示する。操作画像８０ｆは、エアータ−ビンハンドピースの先端部に設けられたハンドピース注水部を設定するための画像である。操作画像８０ｇは、エアータ−ビンハンドピースの先端部に設けられたＨＰライトを設定するための画像である。操作画像８０ｈは、エアータ−ビンハンドピースの回転速度のモードを切り替えるための画像である。
【００６７】
操作ディスプレイ８０に表示された画像が更新されると、診療制御部１５から画像生成信号１が表示制御部１１５に送信される。表示制御部１１５は、受信した画像生成信号１に基づき更新後の診療画像６０１を生成し、生成した診療画像６０１のデータを含んだ画像信号を表示装置６に送信する。表示装置６は、表示制御部１１５から受信した画像信号に基づき、更新後の診療画像６０１をディスプレイ６１５に表示する。このようにして、操作ディスプレイ８０に表示された画像が更新されると、ディスプレイ６１５に表示された診療画像６０１が更新される。
【００６８】
具体的には、図７に示すように、ディスプレイ６１５は、更新後の診療画像６０１として、画像６０１ｆ〜６０１ｈを表示する。
【００６９】
画像６０１ｆは、操作画像８０ｆに関連する画像であり、エアータ−ビンハンドピースの先端部に設けられたハンドピース注水部を設定するための画像である。画像６０１ｆには、操作ディスプレイ８０では表示しきれなかった情報として、ＨＰ注水部がＯＮ状態である旨およびエアータ−ビンハンドピースの回転中に水が出る旨の情報が含まれる。
【００７０】
操作画像６０１ｇは、操作画像８０ｇに関連する画像であり、エアータ−ビンハンドピースの先端部に設けられたＨＰライトを設定するための画像である。操作画像６０１ｇには、操作ディスプレイ８０では表示しきれなかった情報として、ＨＰライトがＯＮ状態である旨およびエアータ−ビンハンドピースの回転中にＨＰライトが点灯する旨の情報が含まれる。
【００７１】
操作画像６０１ｈは、操作画像８０ｈに関連する画像であり、エアータ−ビンハンドピースの回転速度のモードを切り替えるための画像である。操作画像６０１ｈには、操作ディスプレイ８０では表示しきれなかった情報として、エアータ−ビンハンドピースの回転速度が一定速モードである旨およびペダルを踏むと先端の切削工具がエアータ−ビンハンドピースの性能に応じた最高速で回転する旨の情報が含まれる。
【００７２】
このように、ユーザは、操作ディスプレイ８０に表示された画像を押圧操作したり、あるいは診療器具４をインスツルメントホルダ３０から取り出したりすることで、操作ディスプレイ８０に表示された画像を更新するとともに、ディスプレイ６１５に表示された診療画像６０１も更新することができる。
【００７３】
また、ユーザが、ディスプレイ６１５に表示された診療画像６０１を押圧操作すると、ディスプレイ６１５に表示された診療画像６０１が更新されるとともに、操作ディスプレイ８０に表示された画像も更新される。
【００７４】
たとえば、ユーザが、図６に示す状態から、ディスプレイ６１５に表示された診療画像６０１のうちの操作画像６０１ａを押圧操作した場合、ディスプレイ６１５は、図７に示す状態へと、診療画像６０１を更新する。
【００７５】
ディスプレイ６１５に表示された操作画像６０１ａが押圧操作されて診療画像６０１が更新されると、表示装置６から操作信号１が表示制御部１１５に送信される。表示制御部１１５は、受信した操作信号１に基づき画像を更新するための指令信号１を診療装置１０の診療制御部１５に送信する。診療制御部１５は、表示制御部１１５から受信した指令信号１に基づき、更新後の画像を操作ディスプレイ８０に表示する。このようにして、ディスプレイ６１５に表示された診療画像６０１が更新されると、操作ディスプレイ８０に表示された画像が更新される。
【００７６】
このように、ユーザは、ディスプレイ６１５に表示された診療画像６０１に含まれる画像を押圧操作することで、ディスプレイ６１５に表示された診療画像６０１を更新するとともに、操作ディスプレイ８０に表示された画像も更新することができる。
【００７７】
[外部画像の更新の一例]
図８は、外部画像が更新された場合の表示装置６のディスプレイ６１５における表示の一例を説明するための図である。
【００７８】
ユーザが、外部ディスプレイ２０８に表示された選択画像２０８ａを操作部２０５によって選択すると、外部ディスプレイ２０８に表示された画像が更新されるとともに、ディスプレイ６１５に表示された外部画像６０２も更新される。
【００７９】
たとえば、ユーザが、図６に示す状態から、外部ディスプレイ２０８に表示された選択画像２０８ａを操作部２０５によって選択した場合、外部ディスプレイ２０８は、図８に示す状態へと、画像を更新する。
【００８０】
具体的には、図８に示すように、外部ディスプレイ２０８は、歯の断面を示す画像を表示する。さらに、外部ディスプレイ２０８は、操作部２０５によって選択可能な選択画像２０８ｂを表示する。図８に示す例では、選択画像２０８ｂは、前のページに画面を切り替えるための画像である。
【００８１】
外部ディスプレイ２０８に表示された画像が更新されると、外部制御部２１５から画像生成信号２が表示制御部１１５に送信される。表示制御部１１５は、受信した画像生成信号２に基づき更新後の外部画像６０２を生成し、生成した外部画像６０２のデータを含んだ画像信号を表示装置６に送信する。表示装置６は、表示制御部１１５から受信した画像信号に基づき、更新後の外部画像６０２をディスプレイ６１５に表示する。このようにして、外部ディスプレイ２０８に表示された画像が更新されると、ディスプレイ６１５に表示された外部画像６０２が更新される。
【００８２】
具体的には、図８に示すように、ディスプレイ６１５は、更新後の外部画像６０２として、歯の断面を示す画像を表示する。さらに、ディスプレイ６１５は、選択画像６０２ｂを表示する。図８に示す例では、選択画像６０２ｂは、前のページに画面を切り替えるための画像である。
【００８３】
このように、ユーザは、外部ディスプレイ２０８に表示された画像を操作部２０５によって選択することで、外部ディスプレイ２０８に表示された画像を更新するとともに、ディスプレイ６１５に表示された外部画像６０２も更新することができる。
【００８４】
また、ユーザが、ディスプレイ６１５に表示された外部画像６０２を押圧操作すると、ディスプレイ６１５に表示された外部画像６０２が更新されるとともに、外部ディスプレイ２０８に表示された画像も更新される。
【００８５】
たとえば、ユーザが、図６に示す状態から、ディスプレイ６１５に表示された外部画像６０２のうちの選択画像６０２ａを押圧操作した場合、ディスプレイ６１５は、図８に示す状態へと、外部画像６０２を更新する。
【００８６】
ディスプレイ６１５に表示された外部画像６０２が更新されると、表示装置６から操作信号２が表示制御部１１５に送信される。表示制御部１１５は、受信した操作信号２に基づき画像を更新するための指令信号２を外部装置２００の外部制御部２１５に送信する。外部制御部２１５は、表示制御部１１５から受信した指令信号２に基づき、更新後の画像を外部ディスプレイ２０８に表示する。このようにして、ディスプレイ６１５に表示された外部画像６０２が更新されると、外部ディスプレイ２０８に表示された画像が更新される。
【００８７】
このように、ユーザは、ディスプレイ６１５に表示された外部画像６０２を押圧操作することで、ディスプレイ６１５に表示された外部画像６０２を更新するとともに、外部ディスプレイ２０８に表示された画像も更新することができる。
【００８８】
[診療画像と外部画像とにおける表示の優先度]
ユーザは、ディスプレイ６１５に表示された診療画像６０１および外部画像６０２を押圧しながら移動させる所謂ドラッグ操作をすることで、診療画像６０１および外部画像６０２を移動させることができる。ユーザは、ディスプレイ６１５に表示された診療画像６０１および外部画像６０２を２本の指で広げる所謂ピンチアウト操作をすることで、診療画像６０１および外部画像６０２を拡大することができる。ユーザは、ディスプレイ６１５に表示された診療画像６０１および外部画像６０２を２本の指でつまむように動かす所謂ピンチイン操作をすることで、診療画像６０１および外部画像６０２を縮小することができる。ユーザは、ディスプレイ６１５に表示された診療画像６０１および外部画像６０２を指で２回叩く所謂ダブルタップ操作をすることで、診療画像６０１および外部画像６０２をディスプレイ６１５の全面に表示することができる。なお、ユーザは、その他の動作によって診療画像６０１および外部画像６０２の表示態様を変更してもよい。
【００８９】
図９は、診療画像６０１と外部画像６０２とにおける表示の優先度を説明するための図である。上述したように、ユーザは、ディスプレイ６１５に表示された診療画像６０１および外部画像６０２を、移動、拡大、縮小、および全面表示などすることができるが、このような表示態様の変更において、診療画像６０１は、外部画像６０２よりも優先的に前面側に表示される。
【００９０】
たとえば、図９（Ａ）に示す例では、表示装置６のディスプレイ６１５が、診療画像６０１と、外部画像６０２とを合成した画像を表示している。図９（Ｂ）に示すように、ユーザがダブルタップ操作をすると、外部画像６０２がディスプレイ６１５の全面に表示される。この場合において、診療画像６０１は、全面表示された外部画像６０２の前面側で外部画像６０２に重なって表示される。また、図９（Ｃ）に示すように、ユーザが診療画像６０１をドラッグ操作しながら外部画像６０２に重なる位置まで移動させた場合、診療画像６０１は、外部画像６０２の前面側で外部画像６０２に重なって表示される。
【００９１】
このように、診療画像６０１と外部画像６０２とが重なってディスプレイ６１５に表示される場合、診療画像６０１は、外部画像６０２よりも前面側に表示される。これにより、ユーザは、外部画像６０２よりも優先的に診療画像６０１を視認可能であるため、ユーザの利便性が向上する。
【００９２】
また、診療画像６０１が外部画像６０２よりも前面側に表示されるため、緊急停止画像６０１ｓが常に前面側に位置する。このため、ユーザは、緊急時において、迅速に診療装置１０の駆動を停止することができる。
【００９３】
以上のように、診療システム１０００によれば、表示装置６のディスプレイ６１５は、診療装置１０の操作ディスプレイ８０に表示された画像に対応する診療画像と、外部装置２００の外部ディスプレイ２０８に表示された画像に対応する外部画像とを合成した画像を表示する。操作ディスプレイ８０に表示された画像が更新されると、それに伴い、ディスプレイ６１５に表示された診療画像も更新される。一方、ディスプレイ６１５に表示された診療画像が更新されると、それに伴い、操作ディスプレイ８０に表示された画像も更新される。また、外部ディスプレイ２０８に表示された画像が更新されると、それに伴い、ディスプレイ６１５に表示された外部画像も更新される。一方、ディスプレイ６１５に表示された外部画像が更新されると、それに伴い、外部ディスプレイ２０８に表示された画像も更新される。このように、ユーザは、１つのディスプレイ６１５を見るだけで、診療装置１０および外部装置２００といった２つの装置に対応する画像を確認でき、さらに押圧操作などすることで、表示態様を適宜更新することができる。これにより、ユーザの利便性が向上する。
【００９４】
また、上述のように構成するにあたって、診療装置１０と外部装置２００とが直接的に接続されるのではなく、表示制御基板１００が、診療装置１０と外部装置２００との間に設けられている。つまり、診療装置１０と外部装置２００との間には表示制御基板１００が位置しており、診療装置１０と外部装置２００との間で直接的に信号の送受信が行われない。これにより、外部装置２００に異常が発生した場合でも、診療装置１０に直接的には影響がなく、診療装置１０の安全性を確保することができる。このように、診療システム１０００は、診療装置１０の安全性を確保しながらユーザの利便性を向上させることができる。
【００９５】
［変形例］
本発明は、上記の実施例に限られず、さらに種々の変形、応用が可能である。以下、本発明に適用可能な変形例について説明する。
【００９６】
［診療ユニットについて］
本実施の形態においては、診療装置１０と表示装置６とが別個であったが、診療装置１０と表示装置６とが同じユニットに含まれていてもよい。具体的には、診療システム１０００は、診療装置１０および表示装置６を備える診療ユニットを備えるものであってもよい。そして、診療システム１０００がこのような診療ユニットを備える場合であっても、診療装置１０と外部装置２００との間には表示制御部１１５が位置するように構成されていればよい。
【００９７】
上記のような診療ユニットによれば、表示装置６に表示された診療画像６０１がユーザによって押圧操作されることにより、外部装置２００を介することなく表示装置６から診療装置１０の診療制御部１５に信号（たとえば、操作信号１，指令信号１）が送信される。また、表示装置６に表示された外部画像６０２がユーザによって押圧操作されることにより、表示装置６から外部装置２００の外部制御部２１５に信号（たとえば、操作信号２，指令信号２）が送信される。このように、ユーザは、表示装置６に表示された診療画像６０１および外部画像６０２のうち、所望の画像を選択的に押圧操作することで、所望の信号を表示装置６から診療装置１０または外部装置２００に送信することができるため、ユーザの利便性が向上する。
【００９８】
さらに、診療装置１０と外部装置２００との間には表示ユニットが備える表示制御基板１００が位置しており、診療装置１０と外部装置２００との間で直接的に信号の送受信が行われない。これにより、外部装置２００に異常が発生した場合でも、診療装置１０に直接的には影響がなく、診療装置１０の安全性を確保することができる。このように、診療システム１０００は、診療装置１０の安全性を確保しながらユーザの利便性を向上させることができる。
【００９９】
［表示ユニットについて］
本実施の形態においては、表示制御基板１００と表示装置６とが別個であったが、表示制御基板１００と表示装置６とが同じユニットに含まれていてもよい。具体的には、診療システム１０００は、表示制御基板１００および表示装置６を備える表示ユニットを備えるものであってもよい。そして、診療システム１０００がこのような表示ユニットを備える場合であっても、診療装置１０と外部装置２００との間には表示制御部１１５が位置するように構成されていればよい。
【０１００】
上記のような表示ユニットによれば、表示装置６に表示された診療画像６０１がユーザによって押圧操作されることにより、外部装置２００を介することなく表示装置６から診療装置１０の診療制御部１５に信号（たとえば、操作信号１，指令信号１）が送信される。また、表示装置６に表示された外部画像６０２がユーザによって押圧操作されることにより、表示装置６から外部装置２００の外部制御部２１５に信号（たとえば、操作信号２，指令信号２）が送信される。このように、ユーザは、表示装置６に表示された診療画像６０１および外部画像６０２のうち、所望の画像を選択的に押圧操作することで、所望の信号を表示装置６から診療装置１０または外部装置２００に送信することができるため、ユーザの利便性が向上する。
【０１０１】
さらに、診療装置１０と外部装置２００との間には表示ユニットが備える表示制御基板１００が位置しており、診療装置１０と外部装置２００との間で直接的に信号の送受信が行われない。これにより、外部装置２００に異常が発生した場合でも、診療装置１０に直接的には影響がなく、診療装置１０の安全性を確保することができる。このように、診療システム１０００は、診療装置１０の安全性を確保しながらユーザの利便性を向上させることができる。
【０１０２】
また、上述したような表示ユニットは、備え付けの表示モニタに限らず、持ち運び可能な携帯型の表示端末であってもよい。
【０１０３】
［診療システムについて］
本実施の形態に係る診療システム１０００は、図２に示すように、表示制御部１１５から外部装置２００に対して指令信号２が送信されるように構成されていたが、診療システムは、図１０に示すように構成されていてもよい。図１０は、変形例に係る診療システム２０００の内部構成を概略的に示すブロック図である。
【０１０４】
図１０に示すように、診療システム２０００は、表示制御部１１５から外部装置２００に対して指令信号２が送信されない代わりに、診療装置１０から外部装置２００に対して指令信号２２が送信されるように構成されている。
【０１０５】
具体的には、表示装置６は、診療画像がユーザによって押圧操作されると、操作信号１を表示制御部１１５に送信する。表示制御部１１５は、表示装置６から操作信号１を受信すると、当該操作信号１に基づく指令信号１１を診療制御部１５に送信する。診療制御部１５は、指令信号１１に基づき、操作ディスプレイ８０に表示された画像を更新したり、各種の診療機器の駆動または設定を行ったりする。これにより、ユーザは、表示装置６に表示された診療画像を押圧操作することで、操作ディスプレイ８０に表示された画像を更新したり、各種の診療機器の駆動または設定を行ったりすることができる。
【０１０６】
一方、表示装置６は、外部画像がユーザによって押圧操作されると、操作信号２を表示制御部１１５に送信する。表示制御部１１５は、表示装置６から操作信号２を受信すると、当該操作信号２に基づく指令信号１２を診療制御部１５に送信する。診療制御部１５は、指令信号１２に基づき、外部制御部２１５に指令信号２２を送信する。外部制御部２１５は、指令信号２２に基づき、外部ディスプレイ２０８に表示された画像を更新するなどの各種の処理を実行する。これにより、ユーザは、表示装置６に表示された外部画像を押圧操作することで、外部ディスプレイ２０８に表示された画像の更新などを行うことができる。
【０１０７】
さらに、診療制御部１５は、操作ディスプレイ８０に表示された画像がユーザによって押圧操作されたときにも、外部制御部２１５に指令信号２２を送信する。外部制御部２１５は、指令信号２２に基づき、外部ディスプレイ２０８に表示された画像を更新するなどの各種の処理を実行する。これにより、ユーザは、操作ディスプレイ８０に表示された画像を押圧操作することで、外部ディスプレイ２０８に表示された画像の更新などを行うことができる。
【０１０８】
［絶縁部について］
本実施の形態においては、図５に示すように、表示制御部１１５と診療装置１０との間の信号経路に絶縁部１０１が設けられ、表示制御部１１５と外部装置２００との間の信号経路に絶縁部１０２が設けられていたが、少なくとも、診療装置１０が外部装置２００の異常に影響されないようにするものであれば、絶縁部１０１および絶縁部１０２のうちのいずれかを設けておけばよい。
【０１０９】
絶縁部は、表示制御部１１５と診療装置１０との間の信号経路において、１つに限らず複数設けられていてもよい。また、絶縁部は、表示制御部１１５と外部装置２００との間の信号経路において、１つに限らず複数設けられていてもよい。
【０１１０】
さらに、上述したように、診療ユニットが診療装置１０および表示装置６を備えるように構成した場合、診療ユニットと外部装置２００との間の信号経路に絶縁部を少なくとも１つ設けておけばよい。このようにすれば、診療装置１０と外部装置２００との間が電気的に絶縁されるため、電気的安全性を確保することができ、診療装置１０が外部装置２００の異常に影響されることがない。
【０１１１】
また、診療ユニットと外部装置２００との間の信号経路に絶縁部を少なくとも１つ設ける場合、絶縁部１０１よりも絶縁部１０２を優先的に設けることが好ましい。このようにすれば、診療装置１０のみならず、表示制御部１１５も、外部装置２００における異常に影響されることがない。したがって、表示制御部１１５の制御によって、ディスプレイ６１５は、診療画像を異常なく表示し続けることができる。
【０１１２】
また、図１０に示すように、表示制御部１１５と外部装置２００との間の信号経路には、絶縁部が設けられなくてもよい。外部装置２００から表示制御部１１５に送信される画像生成信号２は、画像データそのものが含まれないにしても、データ通信量が大きくなりがちである。また、画像生成信号２に画像データそのものが含まれる場合には、画像生成信号２におけるデータ通信量はなおさら大きくなる。このため、表示制御部１１５と外部装置２００との間の信号経路に絶縁部を設けようとした場合、高速かつ大容量の通信が可能な光ファイバ伝送路が採用されなければならない。しかしながら、光ファイバ伝送路は、費用が掛かりがちである。よって、費用面を考慮した場合には、表示制御部１１５と外部装置２００との間の信号経路には絶縁部を設けなくてもよい。
【０１１３】
また、図１０に示す診療システム２０００のように、診療装置１０から外部装置２００に対して指令信号２２が送信されるように構成した場合、診療装置１０と外部装置２００との間の信号経路に絶縁部２０２を設ければよい。これにより、診療装置１０が外部装置２００の異常に影響されることがない。なお、診療装置１０と表示制御部１１５との間の信号経路には、絶縁部２０１を設けておけばよい。
【０１１４】
以上のように、診療装置１０との間で送受信される信号に対して電気的に絶縁する絶縁部を設けておけば、診療装置１０の電気的安全性を確保することができる。さらに、少なくとも、診療装置１０と外部装置２００とを電気的に絶縁していれば、診療装置１０が外部装置２００の異常に影響されることがない。
【０１１５】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０１１６】
１  診療椅子、２  ベースンユニット、３  トレーテーブル、４  診療器具、５  フートコントローラ、６  表示装置、７  照明装置、８  操作パネル、１０  診療装置、１５  診療制御部、３０  インスツルメントホルダ、６０１  診療画像、８０  操作ディスプレイ、１００  表示制御基板、１０１，１０２  絶縁部、１１５  表示制御部、２００  外部装置、２０５  操作部、２０７  記憶部、２０８  外部ディスプレイ、２１５  外部制御部、６１０  タッチパネル、６１５  ディスプレイ、１０００  診療システム。
【図１】
2018140177.tif 000003
【図２】
2018140177.tif 000004
【図３】
2018140177.tif 000005
【図４】
2018140177.tif 000006
【図５】
2018140177.tif 000007
【図６】
2018140177.tif 000008
【図７】
2018140177.tif 000009
【図８】
2018140177.tif 000010
【図９】
2018140177.tif 000011
【図１０】
2018140177.tif 000012
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
画像を表示する表示装置と、
前記表示装置に接続されるとともに当該表示装置に画像を表示させる表示制御装置と、
診療機器を含むとともに前記表示制御装置に接続される診療装置と、
前記診療装置とは別に前記表示制御装置に接続される外部装置とを備え、
前記表示制御装置は表示制御基板を有し、
前記表示制御基板は、
前記診療装置からの信号に基づく第１画像と、前記外部装置からの信号に基づく第２画像とを合わせて前記表示装置に表示させる表示制御部と、
前記表示制御部と前記診療装置とを接続する信号経路、および前記表示制御部と前記外部装置とを接続する信号経路の少なくともいずれか一方において、信号の送受信を可能にする一方で当該信号経路を電気的に絶縁する絶縁回路とを含む、診療システム。
【請求項２】
前記第１画像は、前記診療機器の操作のためのアイコンまたは設定のためのアイコンを少なくとも含み、
前記第２画像は、前記外部装置によって撮影された画像または患者のカルテの画像を少なくとも含む、請求項１に記載の診療システム。
【請求項３】
前記診療装置からの信号は、当該診療装置に関する情報を含み、
前記表示制御部は、前記診療装置に関する情報に基づいて前記第１画像を生成する、請求項１または請求項２に記載の診療システム。
【請求項４】
前記表示制御部は、前記第１画像と前記第２画像とを重ねて前記表示装置に表示させる場合、前記第２画像よりも前記第１画像を優先的にユーザが視認可能となるように前記表示装置に画像を表示させる、請求項１〜請求項３のいずれか１項に記載の診療システム。
【請求項５】
前記第１画像には、前記診療装置を停止させるための停止画像が含まれ、
前記表示制御部は、前記停止画像に対するユーザの操作に基づき、停止信号を前記診療装置に送信する、請求項１〜請求項４のいずれか１項に記載の診療システム。
【請求項６】
画像を表示する表示装置と、
前記表示装置に接続されるとともに当該表示装置に画像を表示させる表示制御装置と、
診療機器を含むとともに前記表示制御装置に接続される診療装置とを備え、
前記表示制御装置は、前記診療装置とは別に外部装置に接続されており、
前記表示制御装置は表示制御基板を有し、
前記表示制御基板は、
前記診療装置からの信号に基づく第１画像と、前記外部装置からの信号に基づく第２画像とを合わせて前記表示装置に表示させる表示制御部と、
前記表示制御部と前記診療装置とを接続する信号経路、および前記表示制御部と前記外部装置とを接続する信号経路の少なくともいずれか一方において、信号の送受信を可能にする一方で当該信号経路を電気的に絶縁する絶縁回路とを含む、診療ユニット。
【請求項７】
画像を表示する表示装置と、
前記表示装置に接続されるとともに当該表示装置に画像を表示させる表示制御装置とを備え、
前記表示制御装置は、診療機器を含む診療装置に接続されるとともに、当該診療装置とは別に外部装置に接続されており、
前記表示制御装置は表示制御基板を有し、
前記表示制御基板は、
前記診療装置からの信号に基づく第１画像と、前記外部装置からの信号に基づく第２画像とを合わせて前記表示装置に表示させる表示制御部と、
前記表示制御部と前記診療装置とを接続する信号経路、および前記表示制御部と前記外部装置とを接続する信号経路の少なくともいずれか一方において、信号の送受信を可能にする一方で当該信号経路を電気的に絶縁する絶縁回路とを含む、表示ユニット。
【請求項８】
診療機器を含む診療装置および外部装置のそれぞれと、表示装置とを接続させるとともに、当該表示装置に画像を表示させる表示制御装置であって、
表示制御基板を備え、
前記表示制御基板は、
前記診療装置からの信号に基づく第１画像と、前記外部装置からの信号に基づく第２画像とを合わせて前記表示装置に表示させる表示制御部と、
前記表示制御部と前記診療装置とを接続する信号経路、および前記表示制御部と前記外部装置とを接続する信号経路の少なくともいずれか一方において、信号の送受信を可能にする一方で当該信号経路を電気的に絶縁する絶縁回路とを含む、表示制御装置。
【手続補正２】
【補正対象書類名】明細書
【補正対象項目名】０００６
【補正方法】変更
【補正の内容】
【０００６】
本発明に係る診療システムは、画像を表示する表示装置と、表示装置に接続されるとともに当該表示装置に画像を表示させる表示制御装置と、診療機器を含むとともに表示制御装置に接続される診療装置と、診療装置とは別に表示制御装置に接続される外部装置とを備え、表示制御装置は表示制御基板を有し、表示制御基板は、診療装置からの信号に基づく第１画像と、外部装置からの信号に基づく第２画像とを合わせて表示装置に表示させる表示制御部と、表示制御部と診療装置とを接続する信号経路、および表示制御部と外部装置とを接続する信号経路の少なくともいずれか一方において、信号の送受信を可能にする一方で当該信号経路を電気的に絶縁する絶縁回路とを含む。
【手続補正３】
【補正対象書類名】明細書
【補正対象項目名】０００７
【補正方法】変更
【補正の内容】
【０００７】
本発明に係る診療ユニットは、画像を表示する表示装置と、表示装置に接続されるとともに当該表示装置に画像を表示させる表示制御装置と、診療機器を含むとともに表示制御装置に接続される診療装置とを備え、表示制御装置は、診療装置とは別に外部装置に接続されており、表示制御装置は表示制御基板を有し、表示制御基板は、診療装置からの信号に基づく第１画像と、外部装置からの信号に基づく第２画像とを合わせて表示装置に表示させる表示制御部と、表示制御部と診療装置とを接続する信号経路、および表示制御部と外部装置とを接続する信号経路の少なくともいずれか一方において、信号の送受信を可能にする一方で当該信号経路を電気的に絶縁する絶縁回路とを含む。
【手続補正４】
【補正対象書類名】明細書
【補正対象項目名】０００８
【補正方法】変更
【補正の内容】
【０００８】
本発明に係る表示ユニットは、画像を表示する表示装置と、表示装置に接続されるとともに当該表示装置に画像を表示させる表示制御装置とを備え、表示制御装置は、診療機器を含む診療装置に接続されるとともに、当該診療装置とは別に外部装置に接続されており、表示制御装置は表示制御基板を有し、表示制御基板は、診療装置からの信号に基づく第１画像と、外部装置からの信号に基づく第２画像とを合わせて表示装置に表示させる表示制御部と、表示制御部と診療装置とを接続する信号経路、および表示制御部と外部装置とを接続する信号経路の少なくともいずれか一方において、信号の送受信を可能にする一方で当該信号経路を電気的に絶縁する絶縁回路とを含む。
【手続補正５】
【補正対象書類名】明細書
【補正対象項目名】０００９
【補正方法】変更
【補正の内容】
【０００９】
本発明に係る表示制御装置は、診療機器を含む診療装置および外部装置のそれぞれと、表示装置とを接続させるとともに、当該表示装置に画像を表示させる表示制御装置であって、表示制御基板を備え、表示制御基板は、診療装置からの信号に基づく第１画像と、外部装置からの信号に基づく第２画像とを合わせて表示装置に表示させる表示制御部と、表示制御部と診療装置とを接続する信号経路、および表示制御部と外部装置とを接続する信号経路の少なくともいずれか一方において、信号の送受信を可能にする一方で当該信号経路を電気的に絶縁する絶縁回路とを含む。